(57)【特許請求の範囲】
【請求項１】
流体保守現場で動作する流体フィルタモニタ装置であって、
流体フィルタと、前記流体フィルタを通って流れる流体を特徴付けるパラメータを提供するように構成及び配置されたセンサと、無線インタフェース回路と、を備え、
前記無線インタフェース回路は、
モバイルデータ処理デバイスが前記流体保守現場に近接している間に、前記無線インタフェース回路が、認証プロトコルによって定義されかつ遠隔配置サーバに接続するための接続認可情報を含む認証データを前記モバイルデータ処理デバイスと通信する、設定モードで動作し、
前記設定モードで動作した後に、前記無線インタフェース回路が、前記認証プロトコルに従って、無線通信媒体及びブロードバンド接続を介して遠隔配置サーバに無線で前記パラメータを送信する、通常動作モードで動作するように構成及び配置される、
流体フィルタモニタ装置。
【請求項２】
前記遠隔配置サーバを更に含み、前記遠隔配置サーバは、フィルタ識別情報又は前記流体フィルタを前記モバイルデータ処理デバイスに対応するオペレータ識別情報と相互に関連付けるエントリを有するデータベースを含む、請求項１に記載の流体フィルタモニタ装置。
【請求項３】
装置であって、
第１の流体保守現場で動作する第１の流体フィルタモニタと、第２の流体保守現場で動作する第２の流体フィルタモニタと、を備え、前記第１及び第２の流体フィルタモニタのそれぞれは、流体フィルタと、前記流体フィルタを通って流れる流体を特徴付けるパラメータを提供するように構成及び配置されたセンサと、無線インタフェース回路とを備え、
遠隔配置サーバは、前記第１及び第２の流体保守現場の前記それぞれの流体フィルタの前記パラメータに対応し、かつそれらを示す識別情報を相互に関連付けるエントリを有するデータベースを含み、
前記第１の流体フィルタモニタの前記無線インタフェース回路は、
少なくとも１つのモバイルデータ処理デバイスが前記流体保守現場に近接している間に、前記第１の流体フィルタモニタの前記無線インタフェース回路が、認証プロトコルによって規定されかつ遠隔配置サーバに接続するための接続認可情報を含む認証データを前記少なくとも１つのモバイルデータ処理デバイスと通信する、設定モードで動作し、
前記設定モードで動作した後に、前記第１の流体フィルタモニタの前記無線インタフェース回路が、前記認証プロトコルに従って、無線通信媒体及びブロードバンド接続を介して前記遠隔配置サーバに無線で前記パラメータを送信する、通常動作モードで動作するように構成及び配置され、
前記第２の流体フィルタモニタの前記無線インタフェース回路は、
前記少なくとも１つのモバイルデータ処理デバイスが前記流体保守現場に近接している間に、前記第２の流体フィルタモニタの前記無線インタフェース回路が、認証プロトコルによって規定されかつ遠隔配置サーバに接続するための接続認可情報を含む認証データを、少なくとも１つの無線通信媒体を介して前記少なくとも１つのモバイルデータ処理デバイスと通信する、設定モードで動作し、
前記設定モードで動作した後に、前記第２の流体フィルタモニタの前記無線インタフェース回路が、前記認証プロトコルに従って、無線通信媒体及びブロードバンド接続を介して前記遠隔配置サーバに無線で前記パラメータを送信する、通常動作モードで動作するように構成及び配置され、前記遠隔配置サーバは、前記パラメータに基づき状態情報を保守し、前記第１の流体フィルタモニタ及び前記第２の流体フィルタモニタのそれぞれの前記状態を示す通知を伝達するように構成及び配置される、装置。
【請求項４】
前記遠隔配置サーバに記憶された、前記第１の流体保守現場の前記流体フィルタ及び前記第２の流体保守現場の前記流体フィルタのうちの少なくとも１つの動作又は保守情報に対応する情報にアクセスするようにプログラム及び配置された前記少なくとも１つのモバイルデータ処理デバイスを更に備える、請求項３に記載の装置。
【発明の詳細な説明】
【背景技術】
【０００１】
多くの流体処理システムは、フィルタカートリッジ、添加剤ディスペンサなどの整備可能な流体処理部品を含む。これらの流体処理部品は、住居用及び商業用流体処理システムの両方で利用されている。特定の流体処理部品の寿命は限られている傾向がある。通常、ユーザはセンサの助けがなければ、流体処理システムの部品の（例えば、製造業者の仕様に対する）性能、及びそれが取り外される、交換される、若しくは廃棄されるべきであるかどうか、又は整備可能な部品がいつ洗浄若しくは再生されるべきであるかを知ること、若しくは特定することは困難である。流体処理システムの部品の性能が水準以下であるか又は問題がある場合、所有者が気付かないうちに濾過システムの健全性が損なわれるおそれがある。
【発明の概要】
【課題を解決するための手段】
【０００２】
本開示の態様は、概して流体処理システムを整備することに関し、より具体的には、流体処理システムを監視すること、整備の必要性を特定すること、及び整備についての対応する通信に関する。本開示は、いくつかの実施形態及び応用において例示され、そのいくつかが以下に要約されている。
【０００３】
本開示の様々な態様は、流体保守現場で動作する流体フィルタモニタ装置に関する。１つのそのような実施形態では、流体フィルタモニタ装置は、流体フィルタ、流体フィルタを通って流れる流体を特徴付けるパラメータを提供するセンサ、及び無線インタフェース回路を備える。無線インタフェース回路は設定モード及び通常動作モードで動作する。設定モードでは、無線インタフェース回路は、モバイルデータ処理デバイスが流体保守現場に近接している間に、そのモバイルデータ処理デバイスと（認証プロトコルによって規定された）認証データを通信する。通常動作モードでは、無線制御回路は、認証プロトコルに従って、無線通信媒体及びブロードバンド接続を介して遠隔配置サーバに無線でパラメータを送信する。
【０００４】
本開示の他の態様は、複数の第１の流体フィルタモニタ及び遠隔配置サーバを含む装置に関する。一例示的実施形態では、そのような装置は、第１の流体保守現場で動作する第１の流体フィルタモニタ及び第２の流体保守現場で動作する第２の流体フィルタモニタを備える。第１及び第２の流体フィルタモニタのそれぞれは、流体フィルタ、流体フィルタを通って流れる流体を特徴付けるパラメータを提供するセンサ、及び無線インタフェース回路を備える。遠隔配置サーバは、第１及び第２の流体保守現場のそれぞれの流体フィルタのパラメータに対応し、かつそれらを示す識別情報を相互に関連付けるエントリを有するデータベースを含む。遠隔配置サーバは、パラメータに基づき状態情報を保守し、第１の流体フィルタモニタ及び第２の流体フィルタモニタのそれぞれの状態を示す通知を伝達する。
【０００５】
更に、この例示的実施形態では、第１の流体フィルタモニタの無線インタフェース回路は、少なくとも１つのモバイルデータ処理デバイスが流体保守現場に近接している間に、（認証プロトコルによって規定された）認証データをその少なくとも１つのモバイルデータ処理デバイスと通信することによって、設定モードで動作する。第１の流体フィルタモニタの無線インタフェース回路はまた、認証プロトコルに従って、無線通信媒体及びブロードバンド接続を介して遠隔配置サーバに無線でパラメータを送信することによって、通常動作モードで動作する。第２の流体フィルタモニタの無線インタフェース回路は、少なくとも１つのモバイルデータ処理デバイスが流体保守現場に近接している間に、少なくとも１つの無線通信媒体を介して、その少なくとも１つのモバイルデータ処理デバイスと、認証プロトコルによって規定された認証データを通信することによって、設定モードで動作する。更に、第２の流体フィルタモニタの無線インタフェース回路はまた、認証プロトコルに従って、無線通信媒体及びブロードバンド接続を介して遠隔配置サーバに無線でパラメータを送信することによって、通常動作モードで動作する。
【０００６】
本開示の様々な態様は、流体保守現場で流体フィルタモニタを使用して流体フィルタを動作させ、かつそれを保守する方法に関する。方法は、流体フィルタモニタを設定モードで動作させることと、オペレータ認証データを待機することとを含む。更に、方法は、モバイルデータ処理デバイスが流体保守現場に近接している間に、少なくとも１つの無線通信媒体を介して、認証プロトコルによって規定されたオペレータ認証データを、少なくとも１つのモバイルデータ処理デバイスから受信することを含む。更に、方法は、流体フィルタを通って流れる流体を特徴付けるパラメータを、認証プロトコルに従って、ブロードバンド通信媒体を介して遠隔配置サーバへと送信することによって通常動作モードを開始することと、受信した流体フィルタパラメータを遠隔配置サーバで分析することと、流体フィルタパラメータのうちのいずれかがプログラムされた閾値限度外であるかどうかを特定することとを含む。更に、方法は、遠隔配置サーバから、流体フィルタモニタの一意のフィルタ識別情報に関連付けられたモバイルデータ処理デバイスへと通知を送信することを含む。方法はまた、流体フィルタモニタの一意のフィルタ識別情報に関連付けられたモバイルデータ処理デバイスを通じて、顧客又は整備業者に、閾値限度外のフィルタモニタパラメータについて通知することと、引き続いて流体フィルタを整備する（流体フィルタパラメータを閾値限度内にする）こととを含む。
【０００７】
上記の概要は、本開示の各実施形態又はあらゆる実施を記載することを意図したものではない。以下の図面及び発明を実施するための形態は、様々な実施形態をより具体的に例示する。
【図面の簡単な説明】
【０００８】
本開示の種々の実施形態についての以下の詳細な説明を添付の図面と共に考察することで、本開示はより完全に理解され得る。
【図１】本開示の例示的実施形態に係るフィルタ監視及び通信システムを示す図である。
【図２】本開示の例示的実施形態に従った別のフィルタ監視及び通信システムを示す図である。
【図３】本開示の例示的実施形態に従った、フィルタ監視及び通信システムの様々な動作及びデータの流れを示すデータ流れ図である。
【図４】本開示の例示的実施形態に従った、フィルタ設定モードで動作するモバイル通信デバイスを示す図である。
【０００９】
本開示は様々な修正及び代替の形態を受け入れる余地があるが、その細部が、例として図面に示されており、詳しく説明される。しかしながら、本開示は、説明した特定の実施形態に限定しようとするものではないと解されるべきである。逆に、特許請求の範囲によって定義される態様を含む、本開示の範囲に含まれるすべての修正物、等価物及び代替物を網羅することを意図している。
【発明を実施するための形態】
【００１０】
本開示は、様々な種類の処理システムの監視、及び処理システムを整備する必要があるときの通知に有用であると考えられる。本開示の具体的な適用例は、流体保守現場に配置され得る流体フィルタモニタ（単数又は複数）を監視すること、及び流体フィルタの動作又は保守情報に対応する情報を伝達することに関する。本開示の様々な態様に従った流体監視装置、システム、及び方法は、例えば、流体処理システムの有効性、システム内で使用される様々な化学物質のレベル、及びシステム内のフィルタのフィルタ寿命を含む、様々な流体関連パラメータを監視してもよい。流体処理システムの有効性を特定するために、流体監視装置は、フィルタから流出した流体の化学組成を監視してもよい。監視装置はまた、流速及び圧力降下などの流体処理システムの側面を監視してもよい。本開示はそのような適用例に必ずしも限定されるものではないが、この流体監視の内容を使用する様々な実施例の説明を通じて、本開示の様々な態様を理解することができる。
【００１１】
本開示の様々な態様は、流体保守現場で動作する流体処理装置に関する。これらの装置は、流体フィルタと、流体フィルタを通って流れる流体を特徴付けるパラメータを提供するセンサと、無線インタフェース回路とを備えてもよい。無線インタフェース回路は設定モード及び通常動作モードで動作するように構成される。設定モードでは、無線インタフェース回路は、モバイルデータ処理デバイスが流体保守現場に近接している間に、そのモバイルデータ処理デバイスと（認証プロトコルによって規定された）認証データを通信することに関与する。更に、通常動作モードでは、無線インタフェース回路は無線通信媒体及びブロードバンド接続を介して遠隔配置サーバに無線で（認証プロトコルに従って）パラメータを送信することによって動作してもよい。特定の実施形態では、流体流れ特徴付けパラメータは、流体フィルタの使用期間、濾過された流体の体積、流体の送達圧力、フィルタによって誘起された圧力降下、流体の純度、流体の酸性度、流体の温度、及び他の化学又は粒子分析のうちの少なくとも１つを含む。
【００１２】
本開示の様々な態様に従った特定の実施形態では、装置及び方法は、流体保守現場（単数又は複数）の流体フィルタ（単数又は複数）のパラメータに対応し、かつそれらを示す識別情報を相互に関連付けるエントリを有するデータベースを有する遠隔配置サーバを含む。遠隔配置サーバは、１つ以上の流体フィルタモニタのパラメータに基づき状態情報を保守し、この状態情報を示す通知を、サーバに通信可能に結合され、かつ／又はサーバと同じ場所に配置された遠隔配置データベースへと伝達する。更に、遠隔配置サーバは、フィルタ状態情報を、オペレータ識別情報及び／又は１つ以上の登録されたモバイルデータ処理デバイスと相互に関連付けるデータベースエントリを更新及び（報告目的で）取得するために、データベースにアクセスしてもよい。
【００１３】
更に、装置及び方法は、システムの動作全体で有用な複数の流体フィルタモニタ装置を含んでもよい。それぞれのそのような流体フィルタモニタ装置は、流体フィルタと、流体フィルタを通って流れる流体を特徴付けるパラメータを提供するセンサと、無線インタフェース回路とを備える。特定の実施形態では、第１の流体モニタが第１の流体保守現場に設けられてもよく、かつ第２の流体モニタが第２の流体保守現場に設けられてもよい。第１の流体フィルタモニタの無線インタフェース回路は、モバイルデータ処理デバイスが流体保守現場に近接している間に、そのモバイルデータ処理デバイスと認証データを通信することによって、設定モードを初期化して動作させるように構成される。更に、第１の流体フィルタモニタの無線インタフェース回路は、認証プロトコルに従って、無線通信媒体及びブロードバンド接続を介して遠隔配置サーバに無線で（流体フィルタ（単数又は複数）によって収集された状態／パラメータを示す）パラメータを送信することによって、通常動作モードで動作するように構成される。多くの可能な設置のうちの１つのように、無線インタフェース回路は、ブロードバンド接続機器など、それを通じて従来のインターネット（又は他のセルラーネットワーク）への接続がなされる、従来のＷｉＦｉルータを経由して無線で接続される。ブロードバンド接続機器の例は、ケーブルモデム又は他のインタフェース回路（例えば、ＤＳＬ、Ｔ１回線、若しくは他の光回線インタフェース回路）、及びインターネットサービスプロバイダ（Internet Service Provider、ＩＳＰ）を介して購入可能な他のそのような機器を含むが、これらに限定されない。
【００１４】
同様に、第２の流体フィルタモニタの無線インタフェース回路は、少なくとも１つのモバイルデータ処理デバイスが流体保守現場に近接している間に、少なくとも１つの無線通信媒体を介して、その少なくとも１つのモバイルデータ処理デバイスと、認証プロトコルによって規定された認証データを通信する、設定モードで動作するように構成される。更に、第２の流体フィルタモニタの無線インタフェース回路は、認証プロトコルに従って、無線通信媒体及びブロードバンド接続を介して遠隔配置サーバに無線でパラメータを送信する、通常動作モードで動作してもよい。
【００１５】
特定の実施形態では、１組のモバイルデータ処理デバイス（典型的には、サーバに登録可能な１つより多くのモバイルデータ処理デバイスを含む）が、認証プロトコルに従って無線インタフェース回路と認証データを無線で通信する、設定モードで動作するようにプログラムされる。その後、１組のモバイルデータ処理デバイスは、流体フィルタの動作又は保守情報に対応する情報にアクセスするために、遠隔配置サーバと通信してもよい。モバイルデータ処理デバイスと遠隔配置サーバとの間の通信は、無線で（例えば、ローカル無線ネットワーク若しくはＢｌｕｅｔｏｏｔｈを介して、又は無線周波数（radio-frequency、ＲＦ）通信プロトコルを使用して）、又は物理的接続（例えば、ユニバーサルシリアルバス（Universal Serial Bus、ＵＳＢ）接続、イーサネットケーブル、若しくは別の類似のデータ通信ケーブル）に基づき実現されてもよい。特定のより具体的な実施形態では、複数の流体フィルタモニタ装置（上記で詳しく説明したように、それぞれが流体フィルタと、流体フィルタを通って流れる流体を特徴付けるパラメータを提供するセンサと、無線インタフェース回路とを備える）が、同じ遠隔配置サーバと通信してもよい。
【００１６】
更に、特定の実施形態では、１つ以上のそのようなモバイルデータ処理デバイスは、１つ以上の契約顧客に関連付けられた複数の流体フィルタの整備／監視に関するパラメータを有するデータベースを含む遠隔配置サーバからデータを受信するように構成される。これらの実施形態は、記憶された特定の流体フィルタ装置のパラメータに対する相互関連付け及びアクセスのために、識別番号及び／又は電話番号（及び／又はデバイスユーザの識別子）をサーバのデータベースに登録するように構成された、ダウンロードされたアプリケーションを有するモバイルデータ処理デバイスによって使用される場合に特に有利である。より具体的な適用例では、この相互関連付けは、データベースに登録されたモバイルデータ処理デバイスが、特定の流体フィルタ装置へのアクセスについて（特定の流体フィルタ装置と相互に関連付けられた、データベースに登録された関連モバイルデータ処理デバイス／ユーザ／番号を識別するエントリを使用して）認証されたことに基づき、制限付きアクセスを可能にし得る。
【００１７】
更に、遠隔配置サーバは、複数の流体フィルタモニタを監視し、監視されたパラメータがプログラムされた閾値レベルを超えたことに基づき顧客又は整備業者に通知を行ってもよい。更に、特定の実施形態では、遠隔配置サーバは、流体フィルタモニタが、無線インタフェース回路のプログラムされた断続的なパラメータアップロード期間よりも長い期間にわたって流体フィルタのパラメータを遠隔配置サーバへと送信できなかったときに、流体フィルタに関連付けられた顧客又は整備業者のいずれかに通知を行ってもよい。更に、遠隔配置サーバのデータベースは、流体フィルタのパラメータを記憶し、各パラメータ値の経時的な逸脱を監視し、逸脱がプログラムされた閾値を超えたときに、フィルタ識別情報に関連付けられた整備業者に通知を行ってもよい。更に、特定の実施形態では、遠隔配置サーバは、流体フィルタモニタが、閾値を超えた、フィルタ寿命に関するパラメータを報告したときに、フィルタ識別情報に関連付けられたモバイルデータ処理デバイス又は顧客に通知を行ってもよい。
【００１８】
より具体的な実施形態では、モバイルデータ処理デバイスは、整備を必要とする流体フィルタ装置に近接している可能性があるときに、そのようなモバイルデータ処理デバイスを追跡するための（例えば、ＧＰＳ座標の伝達を介した、及び／又は携帯電話システムの三角測量を介した）位置追跡に対応する。そのような実施形態では、モバイルデータ処理デバイスは、特定の現場で接続を確立したこと、特定の現場で流体フィルタ装置を整備したこと、及び／又はサーバから無線で問い合わせを受信したことなどのイベントに応じて、通常の動作として、それらのそれぞれの場所を定期的にサーバに伝達する。これらのモバイルデータ処理デバイスがそれぞれの場所をサーバに伝達することによって、流体フィルタの整備が必要であることをサーバが受信又は検出したことに応じて、その流体フィルタに最も近接しているモバイルデータ処理デバイスが通知を受け、整備に関する要請又は予約を適宜かつ迅速に確立することができる。
【００１９】
更に、流体フィルタモニタ装置のそれぞれが、２つの流体フィルタモニタ装置の無線インタフェース回路のうちの一方をマスタとして、かつ他方の無線インタフェース回路をスレーブとして割り当てることによって、流体フィルタのそれぞれのパラメータを遠隔配置サーバへと伝達してもよい。スレーブ無線インタフェース回路は、流体フィルタパラメータをローカルセンサから受信し、それらのパラメータをマスタ無線インタフェース回路へと送信してもよい。更に、マスタ無線インタフェース回路は、スレーブ無線インタフェース回路からの送信を受信し、流体フィルタパラメータを他方のローカルセンサから受信し、２つの流体フィルタのパラメータを遠隔配置サーバへと送信してもよい。
【００２０】
本明細書で説明される実施形態及び具体的な適用例は、上述の態様、実施形態、及び実施、並びに添付の図面に示された内容のうちの１つ以上と関連して実施されてもよい。
【００２１】
ここで図面を参照すると、図１は、本開示の様々な実施形態に従った例示的な流体フィルタモニタシステム１００を示す。システム１００は、流体フィルタを備えた複数の顧客現場１０２１〜Ｎを含む。流体監視装置１０４は、複数の顧客現場１０２のそれぞれに設けられる。流体監視装置１０４は、流体モニタ１０２ＡＮ及び無線インタフェース回路１０３を備える。流体モニタ１０２ＡＮのそれぞれは、流体フィルタを通って流れる流体を特徴付けるパラメータを提供するセンサ（図示せず）を備える。無線インタフェース回路１０３は設定モード及び通常動作モードで動作する。設定モードでは、無線インタフェース回路１０３は、モバイルデータ処理デバイス１１０が顧客現場１０２１〜Ｎに近接している間に、認証データをモバイルデータ処理デバイス１１０と通信する。この認証データは認証プロトコルによって規定される。更に、通常動作モードでは、無線インタフェース回路１０３は、認証プロトコルに従って、無線通信媒体及びブロードバンド接続（ブロードキャストリンク１０６）を介して遠隔配置サーバ１０８に無線でパラメータを送信することによって動作する。設定モードでは、デバイス登録設定回路１１９は、モバイルデータ処理デバイスが流体監視装置１０４に近接している間に、認証データを無線インタフェース回路１０３と通信する。
【００２２】
モバイルデータ処理デバイス１１０は、整備の専門家、又は流体モニタ１０２ＡＮのセンサに関する情報を求める個人によって携行されてもよい。このように、無線インタフェース回路１０３の２つのモードは、センサによって収集されたパラメータへのアクセスが制御及び／又は監視されるように、特定のモバイルデータ処理デバイス１１０が本物であるかどうかの検証を可能にする。以下で更に詳しく説明されるように、モバイルデータ処理デバイス１１０は、ブロードキャストリンク１０６を通じて物理的に（例えば、ケーブル）、又はローカルインターネット若しくは別の通信媒体を介して、流体モニタ１０２ＡＮのセンサに接続してもよい。
【００２３】
特定の実施形態では、モバイルデータ処理デバイス１１０は、現場状態１１８に関する情報を送信及び受信してもよい。モバイルデータ処理デバイス１１０はまた、整備計画情報を含む様々な種類の情報を記憶するメモリ１２０（スタンドアロンメモリ回路及び／又はコンピュータベースのノードの一部として実施される）を備えてもよい。メモリ１２０は、ブロードキャストリンク１０６からダウンロードされ得る整備計画アプリケーション１２４を記憶するように構成されてもよい。他の実施形態では、整備計画アプリケーション１２４は、メモリプラグ又はディスクからモバイルデータ処理デバイス１１０へと転送される。整備計画アプリケーション１２４は、新しい状態情報に基づきリアルタイムで、例えば、状態情報がモバイルデバイスのユーザ又は他のネットワークデバイスから伝達されたときに更新されてもよい。モバイルデバイスは、整備担当者が現場にいる間に、遠隔地のネットワークサーバとの連携のために、流体監視装置１０４に関する情報、又は流体監視装置１０４からの情報を取得する。
【００２４】
モバイルデータ処理デバイス１１０はまた、遠隔配置サーバ１０８内に記憶された情報にアクセスしてもよい。特定の実施形態では、整備業者又は顧客は、各顧客現場で複数の流体監視装置１０４によって取得されたセンサ測定値を含む、特定の顧客現場に関する情報をダウンロードする。ダウンロードされた情報は、流体監視装置１０４若しくは遠隔配置サーバ１０８のいずれか又は両方によって処理されたデータ、あるいはセンサ測定値及び処理されたデータの組み合わせであってもよい。データがモバイルデータ処理デバイス１１０のプロセッサ１２２によって処理されるとき、現場状態データ１１８は、顧客現場の流体監視装置１０４が整備を必要としているかどうか、及び取得できる場合は、どの種類の整備が必要であるかを示す。現場状態データ１１８による整備の判定に基づき、プロセッサ１２２は、そのような整備が顧客現場の既存の整備計画に含まれているかどうか、又はその現場自体が整備計画に含まれているかどうかを特定するために、メモリ１２０から整備計画データを要求してもよい。顧客はまた、モバイルデータ処理デバイス１１０から、遠隔配置サーバ１０８へ無線通信を介して整備を要求してもよく、遠隔配置サーバ１０８はその通信を、顧客現場１０２及び／又は流体監視装置１０４に関連付けられた整備業者へと転送する。
【００２５】
上述のように、遠隔配置サーバ１０８は、顧客現場１０２のそれぞれの流体フィルタのパラメータに対応し、かつそれらを示す識別情報を相互に関連付けるエントリを有するデータベース１０８Ａを含む。更に、遠隔配置サーバ１０８は、（データベース１０８Ａ内の）パラメータに基づき状態情報を保守し、流体モニタ１０２ＡＮのそれぞれの状態を示す通知を伝達する。
【００２６】
図２は、本開示の様々な実施形態に従った、別の例示的な流体フィルタ監視システム２００を示す。流体フィルタ監視システム２００は、顧客現場２０５と、モバイルデバイス２１０と、遠隔配置サーバ２０８とを含む。顧客現場２０５は、複数の流体モニタ機器デバイス２０２Ａ１〜Ｎ及び少なくとも１つの無線インタフェース回路２０３を備えてもよい。流体モニタ機器デバイス２０２Ａ１〜Ｎのそれぞれは、複数のセンサを介して、流体フィルタの流体流れの特徴を監視する。特定の顧客現場では、流体保守現場（顧客現場２０５）のすべての側面を監視するために、複数の流体モニタ機器デバイス２０２Ａ１〜Ｎが必要となる。そのような流体フィルタ監視システム２００では、流体モニタ機器デバイス２０２Ａ１〜Ｎは、互いの無線インタフェース回路２０３を「ピギーバック」しない（「piggy-back」off）。具体的には、複数の流体モニタ機器デバイス２０２Ａ１〜Ｎの無線インタフェース回路は、複数の標準化されたマスタ−スレーブ（アドホック）通信プロトコルのうちのいずれかを使用して、マスタ無線インタフェース回路を選択し、残りの流体モニタ機器デバイス２０２Ａ１〜Ｎの残りの無線インタフェース回路をスレーブとして割り当ててもよい。スレーブ無線インタフェース回路（単数又は複数）は、そのそれぞれの流体フィルタの流体流れ特徴パラメータをマスタ無線インタフェース回路２０３へと伝達する。マスタ無線インタフェース回路２０３は、スレーブ流体フィルタに関するこれらのパラメータを受信し、これらのパラメータを、そのそれぞれの流体フィルタに関する流体流れ特徴パラメータと共に遠隔配置サーバ２０８へと送信する。遠隔配置サーバ２０８のデータベース２０８Ａは、受信した流体フィルタのそれぞれのパラメータを記録する。要求があったときに、データベース２０８Ａ内のそのようなデータは、顧客又はその整備業者などの、顧客現場２０５に関連付けられたモバイルデバイス２１０によってアクセスされてもよい。
【００２７】
図３は、本開示の様々な態様に従った、フィルタ監視及び通信システムの様々な動作及びデータの流れを示すデータ流れ図である。図示されたこれらの動作及びデータの流れは、フィルタ監視装置１０４の一部として設置されたフィルタ監視通信回路１０３を含む、図１と関連して説明された上述の態様を参照することによって理解され得る。以下で更に説明されるように、フィルタ監視通信回路１０３は、データベース１０８Ａへのアクセスを有する遠隔配置（ＣＰＵ）サーバ１０８と通信する。１つの具体的な実施形態では、フィルタ監視通信回路１０３は、センサによって提供された、対象の環境に関する出力信号を受信するようにプログラムされた無線ネットワークコンピュータプロセッサ（プラットフォーム）モジュールを使用して実装されてもよい。図３と関連して説明されるものなどの流体固有の適用例の場合、対象の環境は流体（例えば、特定の種類の流体を送達する住居用／商業用システムのための流体経路内に設置されたもの）であり、センサによって提供される出力信号は、流体監視装置によって検出される上述の流体関連パラメータである。これらの適用例では、無線ネットワークコンピュータプロセッサモジュールは、組み込みＷｉＦｉ通信を介したインターネット接続を提供する内蔵型無線ネットワークプロセッサである、ＣＣ３０００モジュール（Ｔｅｘａｓ  Ｉｎｓｔｒｕｍｅｎｔｓから購入可能）を使用して実装されてもよい。ＣＣ３３００モジュールは、プログラマブルホストマイクロコントローラ（ＭＣＵ）であり、埋め込み用途に使用される。他の適用例は概して、Ｋｉｔｃｈｅｎ  Ｂｒａｉｎｓなどの企業から購入可能なものなどの無線スマートセンサを使用して実装され得るような、対象の物体の温度を監視すること及び／又はガス（空気の質を含む）を監視することに関する。そのような適用例では、対象の物体／環境は、食品、植物、及び／又は、例えば、それらが収納されるか又は土台とする土及び容器を含む他の栄養培地に関連付けられてもよく、センサによって提供される出力信号は、監視装置によって検出される、モニタによって提供されるパラメータである。
【００２８】
ここで図３の例示的な流体固有のデータ流れ図を参照すると、フィルタモニタ通信回路は、モバイル通信デバイス（例えば、携帯情報端末又は「ＰＤＡ」）からの認証を待機する（ステップ０）。整備業者は顧客現場に到着して、流体フィルタ監視システムを設定する。図３のステップ１を介して示すように、整備業者は、モバイル通信デバイスを介し、短距離無線通信媒体（Ｂｌｕｅｔｏｏｔｈ、ＺｉｇＢｅｅ、ＷｉＦｉなど）を経由して認証データを送信する。認証データは、ローカルＷｉＦｉネットワークに接続して流体流れ特徴付けパラメータを遠隔配置サーバへと送信するための接続認可情報、並びに流体フィルタ監視システムを整備業者及び／又は顧客と関連付ける情報を含んでもよい。流体フィルタ通信システムの設定後、フィルタモニタ通信回路は、流体フィルタの流体流れ特徴パラメータを含むデータを、整備業者のデータベースへと定期的に送信する（ステップ２）。整備業者のデータベースによって収集されたデータは、流体フィルタモニタのセンサから直接提供された、処理されていないデータであってもよく、又はデータは、フィルタモニタ通信回路によって整備業者のデータベースへ送信される前に処理（例えば、データ検証スクリーニング及び上位レベルのコードへの解釈）されてもよい。
【００２９】
特定の実施形態では、処理されたデータ及び処理されていないデータの両方が、フィルタ監視装置によって収集されるデータの関数として、整備業者のデータベースへと送信される。例えば、低品質の流体に関する多量のデータを必要とする状況では、処理されたデータが最初に報告され、その後、現在の／潜在的な蓄積情報、及びデータの分析を実行している回路機構による処理の潜在的な過負荷を考慮して、処理されていないデータのサンプルが、サーバ及び／又はサーバによってアクセスされるデータベースへと送信される。それに応じて、処理されていないデータへのアクセスを有するサーバ又は別のコンピュータはデータを分析し、その後、そのデータが、相互に関連付けられたデータベースエントリを通じて識別され得る顧客又は整備業者への通知を必要とするかどうかを特定する。それに従って、整備業者のデータベースは受信したデータを記憶し、複数の顧客現場からのデータを集計する。このとき、流体監視装置内で発生する処理の量は、適用例によって異なる。
【００３０】
この記憶されたデータは、モバイル通信デバイスによって、サーバを介してデータベースから取得される（ステップ３Ａ及び３Ｂ）。モバイル通信デバイスは、受信したデータ及び後続の処理（必要な場合）に基づき、流体フィルタの状態をオペレータ（例えば、流体フィルタに関するデータベース内で識別され、かつ相互に関連付けられた、顧客又は認可された保守作業者）に表示する。整備業者のデータベースが、流体フィルタの状態が整備を必要としていることを示すデータを含む場合、整備業者のデータベースは、流体フィルタに関連付けられた顧客及び／又は整備業者に通知を行う（ステップ３Ｂ）。顧客／整備業者は整備を実行し（ステップ４）、それによって状態更新がデータベースへと送信され、流体フィルタに関連付けられた要整備状態が削除される。
【００３１】
特定の実施形態では、ステップ２で収集されたデータは、流体処理システムの機能に関する様々な情報を含む。この情報は、流速、圧力降下、フィルタの処理能力、及びフィルタの寿命に関するデータを含んでもよい。顧客現場に配置され、流体処理システムに接続された流体監視装置が、流速などに関する生データを、中間ステップでデータベース内に記憶された設定点と比較してもよい。設定点は、流体処理システムの閾値の許容範囲に基づいてもよい。特定の実施形態では、収集されたデータが設定点を下回る（又は上回る）場合、流体処理システムの状態の変化が記録される。流体処理システムの状態は、流体処理システムの少なくとも一部が整備を必要としていることを示してもよい。閾値は、整備が直ちに実行される必要がないように設定されてもよいが、この閾値はむしろ、例えば、フィルタが間もなく交換される必要があるという警告として機能する。特定の実施形態では、ステップ２のデータは、流体処理システムの状態が変化するたびにデータベースへと送信される。他の実施形態では、ステップ２で、データが定期的な時間間隔で、又は、遠隔配置サーバによる問い合わせに応じて送信されてもよい。データはステップ２で、インターネットを経由して送信されてもよい（例えば、セルラー、ＷｉＦｉ、又はフィルタモニタ通信回路がインターネットを経由して情報を送信及び受信し得る、別の通信機構）。
【００３２】
ステップ３Ａに示すように、モバイルデータ処理デバイス（又はＰＤＡ）間の通信は、モバイルデータ処理デバイスを追跡し、それらが整備を必要とする流体フィルタ装置に近接している可能性があるときに、それらに通知を行うための（例えば、ＧＰＳ座標の伝達を介した）位置追跡に対応してもよい。そのような実施形態では、モバイルデータ処理デバイスは、データベースによって要求されたときにサーバからの通信を受信し、それによって適宜、整備を必要とする流体フィルタに関する通知を受信したことに応じて整備を提供するように機能する。モバイルデータ処理デバイスが、流体フィルタに近接したときに通知を受けることによって、効率化が実現される。
【００３３】
図４は、本開示の実施形態に従った、モバイル通信デバイス上の流体フィルタ監視アプリケーションのユーザインタフェースを示す。モバイル通信デバイス上のそのようなアプリケーションは、遠隔配置サーバ、及びモバイル通信デバイスに近接した複数の流体フィルタ監視装置の両方と無線で通信するために使用されてもよい。アプリケーションは２つのモードの機能を提供する。流体フィルタモニタ設定モードでは、モバイル通信デバイスは、ローカルＷｉＦｉネットワークと無線で通信するために必要な情報、並びに製造業者によって推奨されたフィルタ仕様（例えば、最小及び最大流速、寿命、粒子及び化学物質の濾過速度）を含む認証データを流体フィルタ監視装置に伝達する。これらのフィルタ仕様は、例えば整備後に流体フィルタシステムの適切な動作を確認するために現場のモバイル通信デバイスへと伝達され得る、現場の流体フィルタの状態を特定するために、流体フィルタ監視装置によって使用されてもよい。この同じアプリケーションはまた、フィルタシステムの通常動作モード中に使用されてもよい。例えば、フィルタシステムに関連付けられたモバイル通信デバイスがフィルタシステムの現場から離れている間に、モバイル通信デバイスは、離れた現場の流体フィルタの状態に関する通知を受けるために、遠隔配置サーバと通信してもよい。
【００３４】
特定の実施形態では、センサは情報をローカル無線インタフェースへと伝達し、その後、ローカル無線インタフェースが情報を遠隔配置サーバへと提供する。センサはまた、無線インタフェースを介してモバイル通信デバイスと直接通信してもよい。無線インタフェース回路は、情報をローカルモバイル通信デバイスへと伝達するために、上述のような無線通信方法及びシステムを使用してもよい。無線インタフェース回路は、Ｗｉ−Ｆｉ又は他の無線インターネットベースの通信プロトコルを使用して、ブロードキャストリンク及び最終的には遠隔配置サーバへと接続されてもよい。更に、本開示の様々な態様に従った流体監視機器（及びそのような機器を使用した通信／整備の配備）について更なる情報を得るために、参照により本明細書に組み込まれる、Ｍｉｃｈａｅｌ  Ｎ．Ｃｏｒｍｉｅｒらに対する米国特許公開第２０１３／０３０４５３２号、及びそこに記載されている、Ｒｏｂｅｒｔ  Ｅ．Ａｓｔｌｅらに対する「Ｓｙｓｔｅｍ  ｆｏｒ  Ｍｏｎｉｔｏｒｉｎｇ  ｔｈｅ  Ｐｅｒｆｏｒｍａｎｃｅ  ｏｆ  Ｆｌｕｉｄ  Ｔｒｅａｔｍｅｎｔ  Ｃａｒｔｒｉｄｇｅｓ」と題する米国特許第７，６３８，０４２号、並びにＴｈｏｍａｓ  Ｄ．Ｗｏｌｆｅに対する「Ｍｅｔｈｏｄ  ｆｏｒ  Ｍｏｎｉｔｏｒｉｎｇ  Ａｄｖａｎｃｅｄ  Ｓｅｐａｒａｔｉｏｎ  ａｎｄ／ｏｒ  Ｉｏｎ  Ｅｘｃｈａｎｇｅ  Ｐｒｏｃｅｓｓｅｓ」と題する米国特許第６，３３２，１１０号が参照されてもよい。そのような背景の議論は、１つ以上のセンサの使用を含み、それらのセンサは、上述のように、（流体流れ情報を収集することに加えて又はその代替として）流体処理システムの機能に関する他の情報を収集してもよい。例えば、別のセンサが圧力降下に関する設定点を監視してもよく、かつ、更に別のセンサが寿命（使用期間）に関する設定点を監視してもよい。
【００３５】
特定の実施形態では、本開示の様々な態様に従った流体モニタは、各センサからパラメータを収集し、ブロードキャストリンクを介してそれらのパラメータを遠隔配置サーバへと送信する。遠隔配置サーバは、受信したパラメータに基づき流体処理システムのいずれかの部分が整備を必要とするかどうかを、又はおおよそどれぐらいの期間で整備が必要になり得るかを特定する。遠隔配置サーバのデータベースは、流体監視システムの性能期待値に関する情報を記憶してもよい。遠隔配置サーバは、流体モニタによって収集された情報を、データベース内に記憶されたパラメータと比較してもよい。比較に基づき、遠隔配置サーバ１０８は整備の必要性に関する判定を行う。データベースはまた、例えば、前回の整備の実施時期に関する情報を記憶してもよい。データベースは、遠隔配置サーバへと提供される、顧客現場及び流体モニタの位置に関する情報を記憶する。位置情報は、例えば、ブロードキャストリンクを介してモバイルデバイスへと送信されてもよい。
【００３６】
本開示の様々な態様に従った遠隔配置サーバはまた、どの顧客又は整備業者（若しくはモバイルデバイス）が顧客現場の情報にアクセスし得るかを特定するために、流体フィルタ処理システムのアイデンティティ（例えば、場所ＩＤ）又は流体フィルタ処理システムの位置に関する情報を使用してもよい。場所ＩＤ又は他の流体モニタに関する識別情報は、遠隔配置サーバ（又はモバイルデバイス）によって、顧客現場の位置を特定するために使用されてもよい。特定の実施形態では、場所ＩＤは状態及び使用情報と共に、ブロードキャストリンクを通じて遠隔配置サーバ又はモバイルデバイスへと送信される。場所ＩＤは、遠隔配置サーバ内のデータベースに記憶されるか又は整備業者、顧客、及び／若しくはモバイルデバイスに関連付けられている、顧客現場又は流体モニタに関する情報を取得するために使用されてもよい。
【００３７】
特定の実施形態では、流体監視装置が複数の顧客現場で構成され、これらの流体監視装置が、センサから収集された情報を、ブロードキャストリンクを通じて遠隔配置サーバ１０８へと送信してもよい。遠隔配置サーバは、図１に示すようにデータベースとそこに通信可能に結合された要素とを接続するためにプログラムされたコンピュータなどの、データベース及び論理回路を含む、遠隔地からアクセス可能なコンピュータベースのノードであってもよい。特定の実施形態では、遠隔配置サーバへと送信されるデータは、例えば、センサによって提供された生データを、異なる種類のセンサに共通するか、又は更なる処理のためにデータにアクセスする要素（例えば、遠隔配置サーバ及び／又はモバイルデバイス）によってより容易に解釈される、所定の形式に変換するために、流体監視装置によって処理されたデータである。他の実施形態では、流体監視装置によって収集された情報は、処理されずに、ブロードキャストリンクを通じて遠隔配置サーバへと渡される。特定の実施形態では、遠隔配置サーバ内のプロセッサは、複数の顧客現場の流体処理システムに関する情報を集約するために、受信したデータを更に処理する。プロセッサはまた、１つ以上の顧客現場が整備を必要とするかどうかを特定し、かつ流体処理システムのそれぞれがいつ通常の整備を必要とするかを特定してもよい。
【００３８】
本開示の様々な実施形態は、１つ以上の位置にある流体監視装置内のセンサから収集された情報を処理することを含む。例えば、処理は顧客現場で（例えば、流体モニタを介して）、及び／又は遠隔配置サーバで発生してもよい。他の実施形態では、処理はほぼ、遠隔配置サーバ及びそれに関連付けられたモバイルデバイスでのみ発生する。顧客現場、モバイルデバイスのプロセッサ上、及び遠隔配置サーバ上で、様々な組み合わせの処理が発生し得る。特定の実施形態では、流体モニタからのセンサデータを処理することは、遠隔配置サーバのデータベースに記憶されたデータへの制御されたアクセスを必要とする特定のステップを含む。そのようなアクセスは、整備業者がユーザの名前及びパスワードをログインインタフェースで入力することを含んでもよい。それに応じて、整備業者は、例えば業務契約（月額アクセス料金）及び／又は整備業者に固有の情報に基づき、異なるカテゴリの情報にアクセスしてもよい。そのような制御された情報アクセスの例は、どの従業員が情報にアクセスし得るかを制御するために整備業者が予め設定する、従業員アクセスプロファイルである。この制御されたアクセスは、固有の顧客情報、顧客の優先事項、未解決の重要な問題、及び整備業者の業務にとって重要な他のデータなどの情報への、認可された従業員によるアクセスを制限、ブロック、又は提供し得る。
【００３９】
様々なモジュール及び／又は他の回路ベースのビルディングブロックが、本明細書で説明され、かつ／又は図面に示された動作及び活動のうちの１つ以上を実行するように実装されてもよい。そのような状況では、「モジュール」はこれら又は関連する動作／活動のうちの１つ以上を実行する回路である。例えば、上述した実施形態のうちのいくつかでは、１つ以上のモジュールは、図面に示す回路モジュール（例えば、図１の無線インタフェース回路）におけるように、これらの動作／活動を実行するように構成及び配置される個別論理回路又はプログラマブル論理回路である。特定の実施形態では、プログラマブル回路は、１セット（又は複数セット）の命令（及び／又は構成データ）を実行するようにプログラムされる１つ以上のコンピュータ回路である。命令（及び／又は構成データ）は、メモリ（回路）に格納され、かつメモリ（回路）からアクセス可能なファームウェア又はソフトウェアの形式であってもよい。一例として、第１及び第２のモジュールは、ＣＰＵハードウェアベースの回路とファームウェア形式の１セットの命令との組み合わせを含み、第１のモジュールは、１セットの命令を有する第１のＣＰＵハードウェア回路を含み、第２のモジュールは、別のセットの命令を有する第２のＣＰＵハードウェア回路を含む。更に、特定の実施形態は、これらの上述の動作／活動を実行するためにコンピュータ（又は他の電子デバイス）によって実行され得る命令が記憶された機械又はコンピュータ可読媒体を含むコンピュータプログラム製品（例えば、不揮発性メモリデバイス）に関する。
【００４０】
上記の説明及び実例に基づいて、本明細書で図示及び説明した例示的な実施形態及び適用例に厳密に従うことなく本開示に様々な修正及び変更を行えることが容易に理解され得る。例えば、様々な異なる種類のレジスタ、通信プロトコル、及びデータが、本明細書で説明した１つ以上の方法を使用して伝達され得る。このような修正は、以下の請求項の説明を含め、本開示の本来の趣旨及び範囲から逸脱しない。
本発明の実施態様の一部を以下の〔態様１〕−〔態様２０〕に記載する。
〔態様１〕
流体保守現場で動作する流体フィルタモニタ装置であって、
流体フィルタと、前記流体フィルタを通って流れる流体を特徴付けるパラメータを提供するように構成及び配置されたセンサと、無線インタフェース回路と、を備え、
前記無線インタフェース回路は、
モバイルデータ処理デバイスが前記流体保守現場に近接している間に、認証プロトコルによって定義された認証データを前記モバイルデータ処理デバイスに伝達することによって、設定モードで動作し、
前記認証プロトコルに従って、無線通信媒体及びブロードバンド接続を介して遠隔配置サーバに無線で前記パラメータを送信することによって、通常動作モードで動作するように構成及び配置される、流体フィルタモニタ装置。
〔態様２〕
前記遠隔配置サーバを更に含み、前記遠隔配置サーバは、前記パラメータを前記流体フィルタに対応するフィルタ識別情報と相互に関連付けるエントリを有するデータベースを含む、態様１に記載の流体フィルタモニタ装置。
〔態様３〕
前記遠隔配置サーバを更に含み、前記遠隔配置サーバは、フィルタ識別情報又は前記流体フィルタを前記モバイルデータ処理デバイスに対応するオペレータ識別情報と相互に関連付けるエントリを有するデータベースを含む、態様１に記載の流体フィルタモニタ装置。
〔態様４〕
前記モバイルデータ処理デバイスを含む１組のモバイルデータ処理デバイスを更に含み、前記１組のモバイルデータ処理デバイスは、前記認証プロトコルに従って前記無線インタフェース回路に無線で認証データを伝達することによって前記設定モードで動作し、その後、前記流体フィルタの動作又は保守情報に対応する情報にアクセスするために前記遠隔配置サーバと通信するように、プログラムによって構成及び配置される、態様１に記載の流体フィルタモニタ装置。
〔態様５〕
前記モバイルデータ処理デバイスを含む１組のモバイルデータ処理デバイスを更に含み、前記１組のモバイルデータ処理デバイスは、前記認証プロトコルに従って前記無線インタフェース回路に認証データを伝達することによって前記設定モードで動作し、その後、前記流体フィルタの動作又は保守情報に対応する情報にアクセスするために前記遠隔配置サーバと無線で通信するように、プログラムによって構成及び配置される、態様１に記載の流体フィルタモニタ装置。
〔態様６〕
前記遠隔配置サーバ及び前記モバイルデータ処理デバイスを更に含み、前記遠隔配置サーバは、前記パラメータを前記流体フィルタに対応するフィルタ識別情報と相互に関連付け、かつ前記流体フィルタの前記識別情報を前記モバイルデータ処理デバイスに対応するオペレータ識別情報と相互に関連付けるエントリを有するデータベースを含み、前記モバイルデータ処理デバイスは、前記認証プロトコルに従って前記無線インタフェース回路に認証データを伝達することによって前記設定モードで動作するようにプログラムによって構成及び配置され、前記モバイルデータ処理デバイスを含む１組のモバイルデータ処理デバイスが、前記流体フィルタの動作又は保守情報に対応する情報にアクセスするために前記遠隔配置サーバと通信するように構成及び配置される、態様１に記載の流体フィルタモニタ装置。
〔態様７〕
態様１に記載の別の流体フィルタモニタ装置を更に含み、前記１番目に記載した流体フィルタモニタ装置及び前記別の流体フィルタモニタ装置のそれぞれは前記遠隔配置サーバと通信するように構成及び配置される、態様１に記載の流体フィルタモニタ装置。
〔態様８〕
前記１番目に記載した流体フィルタモニタ装置及び前記別の流体フィルタモニタ装置は前記流体保守現場で相互に近接し、前記２つの流体フィルタモニタ装置の前記無線インタフェース回路のうちの一方をマスタとして割り当て、他方の無線インタフェース回路をスレーブとして割り当てることによって、前記流体フィルタのそれぞれのパラメータを前記遠隔配置サーバへと伝達するように構成及び配置され、
前記スレーブ無線インタフェース回路は、前記１番目に記載した流体フィルタモニタ装置の前記センサから流体フィルタパラメータを受信し、前記パラメータを前記マスタ無線インタフェース回路へと送信するように構成及び配置され、
前記マスタ無線インタフェース回路は、前記スレーブ無線インタフェース回路からの前記送信を受信し、２番目に記載した流体フィルタモニタ装置の前記センサから流体フィルタパラメータを受信し、前記１番目に記載した流体フィルタモニタ装置及び前記２番目に記載した流体フィルタモニタ装置の前記パラメータを前記遠隔配置サーバへと送信するように構成及び配置される、態様７に記載の流体フィルタモニタ装置。
〔態様９〕
装置であって、
第１の流体保守現場で動作する第１の流体フィルタモニタと、第２の流体保守現場で動作する第２の流体フィルタモニタと、を備え、前記第１及び第２の流体フィルタモニタのそれぞれは、流体フィルタと、前記流体フィルタを通って流れる流体を特徴付けるパラメータを提供するように構成及び配置されたセンサと、無線インタフェース回路とを備え、
遠隔配置サーバは、前記第１及び第２の流体保守現場の前記それぞれの流体フィルタの前記パラメータに対応し、かつそれらを示す識別情報を相互に関連付けるエントリを有するデータベースを含み、
前記第１の流体フィルタモニタの前記無線インタフェース回路は、
少なくとも１つのモバイルデータ処理デバイスが前記流体保守現場に近接している間に、認証プロトコルによって規定された認証データを前記少なくとも１つのモバイルデータ処理デバイスに伝達することによって設定モードで動作し、
前記認証プロトコルに従って、無線通信媒体及びブロードバンド接続を介して前記遠隔配置サーバに無線で前記パラメータを送信することによって、通常動作モードで動作するように構成及び配置され、
前記第２の流体フィルタモニタの前記無線インタフェース回路は、
前記少なくとも１つのモバイルデータ処理デバイスが前記流体保守現場に近接している間に、認証プロトコルによって規定された認証データを、少なくとも１つの無線通信媒体を介して前記少なくとも１つのモバイルデータ処理デバイスに伝達することによって設定モードで動作し、
前記認証プロトコルに従って、無線通信媒体及びブロードバンド接続を介して前記遠隔配置サーバに無線で前記パラメータを送信することによって通常動作モードで動作するように構成及び配置され、前記遠隔配置サーバは、前記パラメータに基づき状態情報を保守し、前記第１の流体フィルタモニタ及び前記第２の流体フィルタモニタのそれぞれの前記状態を示す通知を伝達するように構成及び配置される、装置。
〔態様１０〕
前記遠隔配置サーバに記憶された、前記第１の流体保守現場の前記流体フィルタ及び前記第２の流体保守現場の前記流体フィルタのうちの少なくとも１つの動作又は保守情報に対応する情報にアクセスするようにプログラム及び配置された前記少なくとも１つのモバイルデータ処理デバイスを更に備える、態様９に記載の装置。
〔態様１１〕
前記データベースエントリは、前記識別情報を、前記第１及び第２の流体保守現場の前記それぞれの流体フィルタのうちの少なくとも１つに関する前記データベース上の情報にアクセスすることを認可されたユーザと更に相互に関連付ける、態様９に記載の装置。
〔態様１２〕
前記データベースエントリは、前記識別情報を、前記第１及び第２の流体保守現場の前記それぞれの流体フィルタのうちの少なくとも１つに関する前記データベース上の情報にアクセスすることを認可された前記少なくとも１つのモバイルデータ処理デバイスと更に相互に関連付ける、態様９に記載の装置。
〔態様１３〕
前記データベースエントリは、前記識別情報を、前記第１及び第２の流体保守現場の前記それぞれの流体フィルタのうちの少なくとも１つに関する前記データベース上の情報にアクセスすることを認可されたユーザ、並びに前記第１及び第２の流体保守現場の前記それぞれの流体フィルタのうちの少なくとも１つに関する前記データベース上の情報にアクセスすることを認可された前記少なくとも１つのモバイルデータ処理デバイスと更に相互に関連付ける、態様９に記載の装置。
〔態様１４〕
前記パラメータは、流体フィルタの使用期間、濾過された流体の体積、流体の送達圧力、フィルタによって誘起された圧力降下、流体の純度、流体の酸性度、流体の温度、及び他の化学又は粒子分析のうちの少なくとも１つを含む、態様９に記載の装置。
〔態様１５〕
前記遠隔配置サーバは、複数の流体フィルタモニタを監視し、監視されたパラメータがプログラムされた閾値レベルを超えたことに基づき顧客又は整備業者に通知を行うように構成及び配置される、態様９に記載の装置。
〔態様１６〕
前記遠隔配置サーバは、前記流体フィルタモニタが、前記無線インタフェース回路のプログラムされた断続的なパラメータアップロード期間よりも長い期間にわたって前記流体フィルタの前記パラメータを前記遠隔配置サーバへと送信できなかったときに、前記流体フィルタに関連付けられた顧客又は整備業者に通知を行うように構成及び配置される、態様９に記載の装置。
〔態様１７〕
前記モバイルデータ処理デバイスは、顧客に関連付けられた複数の流体フィルタ又は整備業者に関連付けられた別の複数の流体フィルタに関するパラメータを含むデータを、前記遠隔配置サーバから受信するように構成及び配置される、態様９に記載の装置。
〔態様１８〕
前記遠隔配置サーバの前記データベースは、前記流体フィルタのパラメータを記憶し、各パラメータ値の経時的な逸脱を監視し、前記逸脱がプログラムされた閾値を超えたときに、フィルタ識別情報に関連付けられた整備業者に通知を行うように構成及び配置される、態様９に記載の装置。
〔態様１９〕
前記遠隔配置サーバは、前記流体フィルタモニタが、閾値を超えた、フィルタ寿命に関するパラメータを報告したときに、フィルタ識別情報に関連付けられたモバイルデータ処理デバイス又は顧客に通知を行うように構成及び配置される、態様９に記載の装置。
〔態様２０〕
流体保守現場で流体フィルタモニタを使用して流体フィルタを動作させ、かつそれを保守する方法であって、
前記流体フィルタモニタを設定モードで動作させ、オペレータ認証データを待機することと、
少なくとも１つのモバイルデータ処理デバイスが前記流体保守現場に近接している間に、少なくとも１つの無線通信媒体を介して、認証プロトコルによって規定されたオペレータ認証データを、前記少なくとも１つのモバイルデータ処理デバイスから受信することと、
前記認証プロトコルに従って、前記流体フィルタを通って流れる流体を特徴付けるパラメータを、ブロードバンド通信媒体を介して遠隔配置サーバへと送信することによって、通常動作モードを開始することと、
前記遠隔配置サーバで前記パラメータを分析し、前記パラメータのうちのいずれかがプログラムされた閾値限度外であるかどうかを特定することと、
前記遠隔配置サーバから、前記流体フィルタモニタの一意のフィルタ識別情報に関連付けられた前記モバイルデータ処理デバイスへと通知を送信することと、
前記流体フィルタモニタの一意のフィルタ識別情報に関連付けられた前記少なくとも１つのモバイルデータ処理デバイスを通じて、顧客又は整備業者に、前記パラメータのうちのいずれかがプログラムされた閾値限度外である場合に、前記プログラムされた閾値限度外のパラメータについて通知することと、
前記流体フィルタを整備し、それによって前記プログラムされた閾値限度外の前記パラメータを前記プログラムされた閾値限度内にすることと、を含む、方法。
【図１】
0006550399.tif 000002
【図２】
0006550399.tif 000003
【図３】
0006550399.tif 000004
【図４】
0006550399.tif 000005